(57)【要約】【課題】本発明は、極めて商品価値の高い画期的なラケット収納ケースを提供することを目的とする。【解決手段】バドミントンラケットやテニスラケットなどのラケット１を収納するラケット収納ケースであって、ケース本体２内に複数のラケット１を上下多段に並設するラケット並設部３が設けられたものである。【選択図】図１
2010269026.tif 000002
【特許請求の範囲】
【請求項１】
バドミントンラケットやテニスラケットなどのラケットを収納するラケット収納ケースであって、ケース本体内に複数のラケットを上下多段に並設するラケット並設部が設けられ、このラケット並設部は、前記夫々のラケットのヘッドを支承し互いに高さの異なる第一ヘッド支承部，前記第一ヘッド支承部よりも低い第二ヘッド支承部・・・前記第二ヘッド支承部よりも低い第ｎ−１ヘッド支承部及び該第ｎ−１ヘッド支承部よりも低い第ｎヘッド支承部（ｎは２以上の自然数）と、この第一ヘッド支承部，第二ヘッド支承部・・・第ｎ−１ヘッド支承部及び第ｎヘッド支承部夫々の対向位置に設けられ、前記夫々のラケットのグリップを支承する互いに高さが異なり前記第一ヘッド支承部に対応する第一グリップ支承部，前記第二ヘッド支承部に対応する第二グリップ支承部・・・前記第ｎ−１ヘッド支承部に対応する第ｎ−１グリップ支承部及び前記第ｎヘッド支承部に対応する第ｎグリップ支承部とを有し、前記第一ヘッド支承部，前記第二ヘッド支承部・・・前記第ｎ−１ヘッド支承部及び前記第ｎヘッド支承部は、前記夫々のヘッドを前記第一ヘッド支承部，前記第二ヘッド支承部・・・前記第ｎ−１ヘッド支承部及び前記第ｎヘッド支承部に載置して支承させた際、前記ヘッド同士が重合状態となる位置関係に設けられ、前記第一グリップ支承部，前記第二グリップ支承部・・・前記第ｎ−１グリップ支承部及び前記第ｎグリップ支承部は、前記夫々のグリップを前記第一グリップ支承部，前記第二グリップ支承部・・・前記第ｎ−１グリップ支承部及び前記第ｎグリップ支承部に載置して支承させた際、前記グリップ同士が重合状態とならない位置関係に設けられていることを特徴とするラケット収納ケース。
【請求項２】
請求項１記載のラケット収納ケースにおいて、前記第一ヘッド支承部，前記第二ヘッド支承部・・・前記第ｎ−１ヘッド支承部及び前記第ｎヘッド支承部は、少なくとも前記ヘッドの先端円弧部を支承する構成であり、前記ラケットの２分割線を境に前記先端円弧部の左右部位を支承する第一支承面，第二支承面・・・第ｎ−１支承面及び第ｎ支承面を有することを特徴とするラケット収納ケース。
【請求項３】
請求項１，２いずれか１項に記載のラケット収納ケースにおいて、前記第一ヘッド支承部，前記第二ヘッド支承部・・・前記第ｎ−１ヘッド支承部及び前記第ｎヘッド支承部は、上段程先端側となる位置に設けられていることを特徴とするラケット収納ケース。
【請求項４】
請求項１〜３いずれか１項に記載のラケット収納ケースにおいて、前記第一グリップ支承部，前記第二グリップ支承部・・・前記第ｎ−１グリップ支承部及び前記第ｎグリップ支承部は、前記グリップを圧入嵌合させて支承する凹状部であることを特徴とするラケット収納ケース。
【請求項５】
バドミントンラケットやテニスラケットなどのラケットを収納するラケット収納ケースであって、ケース本体内に複数のラケットを上下多段に並設するラケット並設部が設けられ、このラケット並設部は、前記夫々のラケットのヘッドを支承し互いに高さの異なる第一ヘッド支承部，前記第一ヘッド支承部よりも低い第二ヘッド支承部及び該第二ヘッド支承部よりも低い第三ヘッド支承部と、この第一ヘッド支承部，第二ヘッド支承部及び第三ヘッド支承部夫々の対向位置に設けられ、前記夫々のラケットのグリップを支承する互いに高さが異なり前記第一ヘッド支承部に対応する第一グリップ支承部，前記第二ヘッド支承部に対応する第二グリップ支承部及び前記第三ヘッド支承部に対応する第三グリップ支承部とを有し、前記第一ヘッド支承部，前記第二ヘッド支承部及び前記第三ヘッド支承部は、前記夫々のヘッドを前記第一ヘッド支承部，前記第二ヘッド支承部及び前記第三ヘッド支承部に載置して支承させた際、前記ヘッド同士が重合状態となる位置関係に設けられ、前記第一グリップ支承部，前記第二グリップ支承部及び前記第三グリップ支承部は、前記夫々のグリップを前記第一グリップ支承部，前記第二グリップ支承部及び前記第三グリップ支承部に載置して支承させた際、前記グリップ同士が重合状態とならない位置関係に設けられていることを特徴とするラケット収納ケース。
【請求項６】
請求項１〜５いずれか１項に記載のラケット収納ケースにおいて、前記ラケット並設部は、ケース本体に着脱自在に設けられていることを特徴とするラケット収納ケース。
【請求項７】
請求項１〜６いずれか１項に記載のラケット収納ケースにおいて、前記ケース本体は、プラスチックや金属などの硬質素材で形成されていることを特徴とするラケット収納ケース。
【請求項８】
請求項１〜７いずれか１項に記載のラケット収納ケースにおいて、前記ケース本体は、一対の容体同士を重合して開閉自在に枢着連結したものであり、この容体夫々の内底面に前記ラケット並設部が設けられていることを特徴とするラケット収納ケース。
【発明の詳細な説明】
【技術分野】
【０００１】
本発明は、バドミントンラケットやテニスラケットなどのラケットを収納するラケット収納ケースに関するものである。
【背景技術】
【０００２】
従来から、例えば特開２００５−１１８４６８号に開示されるような、バドミントンラケットやテニスラケットなどのラケットを収納するラケット収納ケースが種々提案されている。
【０００３】
この従来例は、横長の収納体の上部開口部に蓋体を設けた構造であり、この収納体内のラケット収納部には複数の仕切り板が並設されており、この仕切り板を介して複数のラケットを収納し得るように構成されている。この複数のラケットを収納するタイプは、主に大会や遠征や合宿などの複数のラケットが必要となる場合に使用される。
【先行技術文献】
【特許文献】
【０００４】
【特許文献１】特開２００５−１１８４６８号公報
【発明の概要】
【発明が解決しようとする課題】
【０００５】
しかしながら、この従来例は、前述したようにラケット収納部は単に仕切り板が並設された構造であり、この仕切り板同士の間隔はラケットの出し入れを考慮して若干のクリアランスが設けられるということもあり、それだけ巾広となり大型である為、かさばって持ち運びや収納が不便とされ、しかも、従来例の仕切り板は、ラケットのヘッド程度の大きさであり、持ち運びの際に収納したラケット（グリップ）同士が擦れて傷付いたりするなどの問題点がある。
【０００６】
本発明は、上述した問題点に着目し、極めて商品価値の高い画期的なラケット収納ケースを提供するものである。
【課題を解決するための手段】
【０００７】
添付図面を参照して本発明の要旨を説明する。
【０００８】
バドミントンラケットやテニスラケットなどのラケット１を収納するラケット収納ケースであって、ケース本体２内に複数のラケット１を上下多段に並設するラケット並設部３が設けられ、このラケット並設部３は、前記夫々のラケット１のヘッド１Ｂを支承し互いに高さの異なる第一ヘッド支承部４Ａ，前記第一ヘッド支承部４Ａよりも低い第二ヘッド支承部４Ｂ・・・前記第二ヘッド支承部４Ｂよりも低い第ｎ−１ヘッド支承部及び該第ｎ−１ヘッド支承部よりも低い第ｎヘッド支承部（ｎは２以上の自然数）と、この第一ヘッド支承部４Ａ，第二ヘッド支承部４Ｂ・・・第ｎ−１ヘッド支承部及び第ｎヘッド支承部夫々の対向位置に設けられ、前記夫々のラケット１のグリップ１Ａを支承する互いに高さが異なり前記第一ヘッド支承部４Ａに対応する第一グリップ支承部５Ａ，前記第二ヘッド支承部４Ｂに対応する第二グリップ支承部５Ｂ・・・前記第ｎ−１ヘッド支承部に対応する第ｎ−１グリップ支承部及び前記第ｎヘッド支承部に対応する第ｎグリップ支承部とを有し、前記第一ヘッド支承部４Ａ，前記第二ヘッド支承部４Ｂ・・・前記第ｎ−１ヘッド支承部及び前記第ｎヘッド支承部は、前記夫々のヘッド１Ｂを前記第一ヘッド支承部４Ａ，前記第二ヘッド支承部４Ｂ・・・前記第ｎ−１ヘッド支承部及び前記第ｎヘッド支承部に載置して支承させた際、前記ヘッド１Ｂ同士が重合状態となる位置関係に設けられ、前記第一グリップ支承部５Ａ，前記第二グリップ支承部５Ｂ・・・前記第ｎ−１グリップ支承部及び前記第ｎグリップ支承部は、前記夫々のグリップ１Ａを前記第一グリップ支承部５Ａ，前記第二グリップ支承部５Ｂ・・・前記第ｎ−１グリップ支承部及び前記第ｎグリップ支承部に載置して支承させた際、前記グリップ１Ａ同士が重合状態とならない位置関係に設けられていることを特徴とするラケット収納ケースに係るものである。
【０００９】
また、請求項１記載のラケット収納ケースにおいて、前記第一ヘッド支承部４Ａ，前記第二ヘッド支承部４Ｂ・・・前記第ｎ−１ヘッド支承部及び前記第ｎヘッド支承部は、少なくとも前記ヘッド１Ｂの先端円弧部１ｂを支承する構成であり、前記ラケット１の２分割線Ｘを境に前記先端円弧部１ｂの左右部位を支承する第一支承面４ａ，第二支承面４ｂ・・・第ｎ−１支承面及び第ｎ支承面を有することを特徴とするラケット収納ケースに係るものである。
【００１０】
また、請求項１，２いずれか１項に記載のラケット収納ケースにおいて、前記第一ヘッド支承部４Ａ，前記第二ヘッド支承部４Ｂ・・・前記第ｎ−１ヘッド支承部及び前記第ｎヘッド支承部は、上段程先端側となる位置に設けられていることを特徴とするラケット収納ケースに係るものである。
【００１１】
また、請求項１〜３いずれか１項に記載のラケット収納ケースにおいて、前記第一グリップ支承部５Ａ，前記第二グリップ支承部５Ｂ・・・前記第ｎ−１グリップ支承部及び前記第ｎグリップ支承部は、前記グリップ１Ａを圧入嵌合させて支承する凹状部であることを特徴とするラケット収納ケースに係るものである。
【００１２】
また、バドミントンラケットやテニスラケットなどのラケット１を収納するラケット収納ケースであって、ケース本体２内に複数のラケット１を上下多段に並設するラケット並設部３が設けられ、このラケット並設部３は、前記夫々のラケット１のヘッド１Ｂを支承し互いに高さの異なる第一ヘッド支承部４Ａ，前記第一ヘッド支承部４Ａよりも低い第二ヘッド支承部４Ｂ及び該第二ヘッド支承部４Ｂよりも低い第三ヘッド支承部４Ｃと、この第一ヘッド支承部４Ａ，第二ヘッド支承部４Ｂ及び第三ヘッド支承部４Ｃ夫々の対向位置に設けられ、前記夫々のラケット１のグリップ１Ａを支承する互いに高さが異なり前記第一ヘッド支承部４Ａに対応する第一グリップ支承部５Ａ，前記第二ヘッド支承部４Ｂに対応する第二グリップ支承部５Ｂ及び前記第三ヘッド支承部４Ｃに対応する第三グリップ支承部５Ｃとを有し、前記第一ヘッド支承部４Ａ，前記第二ヘッド支承部４Ｂ及び前記第三ヘッド支承部４Ｃは、前記夫々のヘッド１Ｂを前記第一ヘッド支承部４Ａ，前記第二ヘッド支承部４Ｂ及び前記第三ヘッド支承部４Ｃに載置して支承させた際、前記ヘッド１Ｂ同士が重合状態となる位置関係に設けられ、前記第一グリップ支承部５Ａ，前記第二グリップ支承部５Ｂ及び前記第三グリップ支承部５Ｃは、前記夫々のグリップ１Ａを前記第一グリップ支承部５Ａ，前記第二グリップ支承部５Ｂ及び前記第三グリップ支承部５Ｃに載置して支承させた際、前記グリップ１Ａ同士が重合状態とならない位置関係に設けられていることを特徴とするラケット収納ケースに係るものである。
【００１３】
また、請求項１〜５いずれか１項に記載のラケット収納ケースにおいて、前記ラケット並設部３は、ケース本体２に着脱自在に設けられていることを特徴とするラケット収納ケースに係るものである。
【００１４】
また、請求項１〜６いずれか１項に記載のラケット収納ケースにおいて、前記ケース本体２は、プラスチックや金属などの硬質素材で形成されていることを特徴とするラケット収納ケースに係るものである。
【００１５】
また、請求項１〜７いずれか１項に記載のラケット収納ケースにおいて、前記ケース本体２は、一対の容体２’，２”同士を重合して開閉自在に枢着連結したものであり、この容体２’，２”夫々の内底面に前記ラケット並設部３が設けられていることを特徴とするラケット収納ケースに係るものである。
【発明の効果】
【００１６】
本発明は上述のように構成したから、前述した従来例に比し、極めてコンパクトである為、持ち運びや収納が非常に便利であり、しかも、収納したラケット同士が接触することがなく傷付いたりすることがないなど極めて商品価値の高い画期的なラケット収納ケースとなる。
【図面の簡単な説明】
【００１７】
【図１】本実施例の使用状態説明図である。
【図２】本実施例を示す分解斜視図である。
【図３】本実施例の開放状態を示す斜視図である。
【図４】本実施例を示す斜視図である。
【図５】本実施例に係る要部の説明断面図である。
【図６】本実施例に係る要部の説明図である。
【図７】本実施例に係る要部の説明図である。
【図８】本実施例に係る要部の説明図である。
【発明を実施するための形態】
【００１８】
好適と考える本発明の実施形態を、図面に基づいて本発明の作用を示して簡単に説明する。
【００１９】
第一ヘッド支承部４Ａ，第二ヘッド支承部４Ｂ・・・第ｎ−１ヘッド支承部及び第ｎヘッド支承部に夫々のラケット１のヘッド１Ｂを載置して支承させるとともに、第一グリップ支承部５Ａ，第二グリップ支承部５Ｂ・・・第ｎ−１グリップ支承部及び第ｎグリップ支承部に夫々のラケット１のグリップ１Ａを載置して支承させて、複数のラケット１をケース本体２内に設けられたラケット並設部３に上下多段に並設する。
【００２０】
この第一ヘッド支承部４Ａ，第二ヘッド支承部４Ｂ・・・第ｎ−１ヘッド支承部及び第ｎヘッド支承部同士は互いに高さが異なり、この第一ヘッド支承部４Ａ，第二ヘッド支承部４Ｂ・・・第ｎ−１ヘッド支承部及び第ｎヘッド支承部夫々の対向位置に設けられ対応する、第一グリップ支承部５Ａ，第二グリップ支承部５Ｂ・・・第ｎ−１グリップ支承部及び第ｎグリップ支承部同士も互いに高さが異なる構成であり、よって、ラケット１同士は互いに接触（干渉）しない状態でラケット並設部２に上下多段に並設される。
【００２１】
そして、この際、各ヘッド１Ｂは互いに重合状態となるように支承され、各グリップ１Ａは重合状態とならない状態で支承されており、この構成からラケット１の構造を利用して最小限のスペースに収納することが出来る。
【００２２】
即ち、バドミントンラケットやテニスラケットなどのラケット１は、ヘッド１Ｂはグリップ１Ａよりも厚みが薄く、且つ、グリップ１Ａはヘッド１Ｂよりも巾が狭い構造であり、よって、このラケット１の厚みと巾の構造を利用して、上下多段に並設される各ヘッド１Ｂを互いに重合状態とするとともに、各グリップ１Ａを互いに重合状態とならない状態で支承する構造とすることで、厚み方向も巾方向も最小限となるスペースに各ラケット１をコンパクトな状態で並設収納することが可能となる。
【実施例】
【００２３】
本発明の具体的な一実施例について図面に基づいて説明する。
【００２４】
本実施例は、バドミントンラケット１を収納するものであって、ケース本体２内に複数（三本）のラケット１を上下多段に平置き状態で並設し得るラケット並設部３が設けられたものである。
【００２５】
尚、本実施例では、ラケット１としてバドミントンラケットを採用しているが、その他にも例えばテニスラケットでも良いなど、グリップ１Ａとこのグリップ１Ａの先端にシャフト１Ｃを介して連設されるヘッド１Ｂ（円形フレームにガットが張設された部位や単なる円盤状の部位）とを有し本実施例の特性を発揮するものであれば適宜採用し得るものである。また、収納するラケットの本数は２本でも４本以上でも良い。
【００２６】
具体的には、ケース本体２は、図１，２に図示したように適宜な合成樹脂製の部材（プラスチック）で形成したものであり、一対の横長形状の容体２’，２”の基端部同士を開閉自在に重合枢着して構成されている。尚、ケース本体２は金属製としても良いなど本実施例の特性を発揮する硬質素材であれば適宜採用し得るものであり、また、ケース本体２は一対の容体２’，２”で構成しているが、一つの容体に対して板状の蓋体を開閉自在に設ける構成としても良い。
【００２７】
この容体２’，２”夫々の内底面には、四隅部及び中央部の五箇所に後述するラケット並設部３を構成する基体３Ａを着脱自在に付設するための面ファスナー10が設けられている。
【００２８】
尚、本実施例では、ラケット並設部３（第一ヘッド支承部４Ａ，第二ヘッド支承部４Ｂ，第三ヘッド支承部４Ｃ及び第一グリップ支承部５Ａ，第二グリップ支承部５Ｂ，第三グリップ支承部５Ｃ）をケース本体２とは別体としているが、ケース本体２（各容体２’，２”の内面）に一体成形しても良い。
【００２９】
また、容体２’，２”夫々の先端部には貫通孔部２ａが形成されており、容体２’，２”同士を閉塞して貫通孔部２ａ同士を重合状態とした際に把手部が形成される。
【００３０】
また、一方の容体２’（上容体）上面には、他方の容体２”（下容体）の下面四隅に突設される平置き接地凸部２ｂを嵌合する凹部２ｃが設けられている。
【００３１】
従って、一のケース本体２の上面に設けられる凹部２ｃに他のケース本体２の下面に設けられる平置き接地凸部２ｂを凹凸係合状態としてケース本体２同士をスタッキングすることができる。
【００３２】
また、一方の容体２’（上容体）の先端部には、他方の容体２”（下容体）の先端部に凹設される係止凹部２ｆに係止する係止突片２ｇが設けられている。
【００３３】
符号２ｄはケース本体２を横置きする際に接地させる横置き接地凸部、２ｅはケース本体２を縦置きする際に接地させる縦置き接地凸部である。
【００３４】
尚、本実施例では、ケース本体２に把手部を設けて手持ちタイプとしているが、肩紐などを設けて背負いタイプや肩掛けタイプにしても良い。
【００３５】
ラケット並設部３は、図１，３，４に図示したように適宜な合成樹脂製の部材で形成した板状体であり、この板状の基体３Ａは前述した一対の容体２’，２”夫々に面ファスナー10を介して着脱自在に設けられている。
【００３６】
また、基体３Ａの上面には、夫々のラケット１のヘッド１Ｂを支承し互いに高さの異なる第一ヘッド支承部４Ａ，第一ヘッド支承部４Ａよりも低い第二ヘッド支承部４Ｂ・・・第二ヘッド支承部４Ｂよりも低い第ｎ−１ヘッド支承部及び該第ｎ−１ヘッド支承部よりも低い第ｎヘッド支承部（ｎは２以上の自然数）と、この第一ヘッド支承部４Ａ，第二ヘッド支承部４Ｂ・・・第ｎ−１ヘッド支承部及び第ｎヘッド支承部夫々の対向位置に設けられ、夫々のラケット１のグリップ１Ａを支承する互いに高さが異なり第一ヘッド支承部４Ａに対応する第一グリップ支承部５Ａ，前記第二ヘッド支承部４Ｂに対応する第二グリップ支承部５Ｂ・・・前記第ｎ−１ヘッド支承部に対応する第ｎ−１グリップ支承部及び前記第ｎヘッド支承部に対応する第ｎグリップ支承部とが設けられている。
【００３７】
尚、基体３Ａは、ケース全体の軽量化及びケース本体２の把手部２ａを回避する目的で中央部分が凹状に形成されている。
【００３８】
具体的には、ヘッド支承部は、図３，４，５に図示したように基体３Ａの上面に複数（三つ）の階段部（高位置の第一ヘッド支承部４Ａ，中位置の第二ヘッド支承部４Ｂ及び低位置の第三ヘッド支承部４Ｃ）を一体成形して構成されており、この各段は上段程先端側となる位置に設けられ、且つ、ヘッド１Ｂ夫々を該ヘッド１Ｂ同士が重合状態となる位置で支承する位置関係に配設されている。
【００３９】
また、第一ヘッド支承部４Ａ，第二ヘッド支承部４Ｂ及び第三ヘッド支承部４Ｃは、図６に図示したように円弧状に形成されており、ヘッド１Ｂの先端円弧部１ｂを支承する構成であり、ラケット１の２分割線Ｘ（シャフト１Ｃの延長線上の２分割線）を境とする先端円弧部１ｂの左右部位を支承し得る第一支承面４ａ，第二支承面４ｂ及び第三支承面４ｃを有する。
【００４０】
従って、ヘッド１Ｂの安定した支承状態が得られることになる。
【００４１】
尚、ヘッド支承部の数は適宜変更し得るものである。
【００４２】
グリップ支承部は、図３，４に図示したように基体３Ａの上面に複数（三つ）の凹状部（高位置の第一グリップ支承部５Ａ，中位置のグリップ支承部５Ｂ及び低位置のグリップ支承部５Ｃ）を一体成形して構成されており、この第一グリップ支承部５Ａ，グリップ支承部５Ｂ及びグリップ支承部５Ｃは、図７，８に図示したように基体３Ａの左右方向に配設され、互いに高さの異なる状態で設けられており、グリップ１Ａ夫々を該グリップ１Ａ同士が重合状態とならない位置で支承する位置関係に配設されている。
【００４３】
また、第一グリップ支承部５Ａ，グリップ支承部５Ｂ及びグリップ支承部５Ｃは、凹状部の上方開口縁部をグリップ１Ａの巾よりも巾狭に設けており、グリップ１Ａを圧入嵌合させて支承し得る凹状部である。
【００４４】
尚、グリップ支承部の数は適宜変更し得るものである。
【００４５】
また、第一グリップ支承部５Ａ，グリップ支承部５Ｂ及びグリップ支承部５Ｃ夫々の後方には、突部５’が設けられており、この各突部’はグリップ１Ａの基端部を支承するように構成されている。
【００４６】
尚、本実施例では、ケース本体２を構成する容体２’，２”夫々の内面にラケット並設部３を着脱自在にした構成としたが、例えばボールやガットやタオルなどの小物を収納する小物収納部（板状の基体に網を張ったもの）を着脱自在に設けるようにしても良い。
【００４７】
本実施例は上述のように構成したから、第一ヘッド支承部４Ａ，第二ヘッド支承部４Ｂ及び第三ヘッド支承部４Ｃに夫々のラケット１のヘッド１Ｂを載置して支承させるとともに、第一グリップ支承部５Ａ，第二グリップ支承部５Ｂ及び第三グリップ支承部５Ｃに夫々のラケット１のグリップ１Ａを載置して支承させて、複数のラケット１をケース本体２内に設けられたラケット並設部３に上下多段に並設すると、この第一ヘッド支承部４Ａ，第二ヘッド支承部４Ｂ及び第三ヘッド支承部４Ｃ同士は互いに高さが異なり、この第一ヘッド支承部４Ａ，第二ヘッド支承部４Ｂ及び第三ヘッド支承部４Ｃ夫々の対向位置に設けられ対応する、第一グリップ支承部５Ａ，第二グリップ支承部５Ｂ及び第三グリップ支承部５Ｃ同士も互いに高さが異なる構成であり、よって、ラケット１同士は互いに接触（干渉）しない状態でラケット並設部２に上下多段に並設される。
【００４８】
そして、この際、各ヘッド１Ｂは互いに重合状態となるように支承され、各グリップ１Ａは重合状態とならない状態で支承されており、この構成からラケット１の構造を利用して最小限のスペースに収納することが出来る。
【００４９】
よって、本実施例によれば、前述した従来例に比し、極めてコンパクトである為、持ち運びや収納が非常に便利であり、しかも、収納したラケット同士が接触することがなく傷付いたりすることがなく良好な収納状態が得られることになる。
【００５０】
また、本実施例は、第一ヘッド支承部４Ａ，第二ヘッド支承部４Ｂ及び第三ヘッド支承部４Ｃは、ヘッド１Ｂの先端円弧部１ｂを支承する構成であり、ラケット１の２分割線Ｘを境とする前記先端円弧部１ｂの左右部位を支承し得る第一支承面４ａ，第二支承面４ｂ及び第三支承面４ｃを有するから、各ラケット１のヘッド１Ｂを極めて安定的に支承することができる。
【００５１】
また、本実施例は、第一ヘッド支承部４Ａ，第二ヘッド支承部４Ｂ及び第三ヘッド支承部４Ｃは、上段程先端側となる位置に設けられているから、複数のラケット１のヘッド１Ｂを確実に支承する状態が得られることになる。
【００５２】
また、本実施例は、第一グリップ支承部５Ａ，第二グリップ支承部５Ｂ及び第三グリップ支承部５Ｃは、グリップ１Ａを圧入嵌合させて支承し得る凹状部であるから、各ラケット１のブリップ１Ａを極めて安定的に支承することができる。
【００５３】
また、本実施例は、ラケット並設部３は、ケース本体２に着脱自在に設けられているから、別の本数のラケット１を収納するラケット並設部３を用意しておけば、必要に応じて収納するラケット１の本数を変更することができるなど非常に便利となる。
【００５４】
また、本実施例は、ケース本体２は、プラスチックや金属などの硬質素材で形成されているから、より一層ラケット１を良好に保護する状態が得られることになる。
【００５５】
また、本実施例は、ケース本体２は、一対の容体２’，２”同士を開閉自在に重合枢着連結したものであり、この容体２’，２”夫々の内底面にラケット並設部３が設けられているから、極めて体裁の良い収納状態が得られることになる。
【００５６】
尚、本発明は、本実施例に限られるものではなく、各構成要件の具体的構成は適宜設計し得るものである。
【産業上の利用可能性】
【００５７】
本発明は、バドミントンラケットやテニスラケットなどのラケットを収納するラケット収納ケースに有用である。
【符号の説明】
【００５８】
Ｘ  ２分割線
１  ラケット
１Ａ  グリップ
１Ｂ  ヘッド
１ｂ  先端円弧部
２  ケース本体
２’  容体
２”  容体
３  ラケット並設部
４Ａ  第一ヘッド支承部
４Ｂ  第二ヘッド支承部
４Ｃ  第三ヘッド支承部
４ａ  第一支承面
４ｂ  第二支承面
５Ａ  第一グリップ支承部
５Ｂ  第二グリップ支承部
５Ｃ  第三グリップ支承部
【図１】
2010269026.tif 000003
【図２】
2010269026.tif 000004
【図３】
2010269026.tif 000005
【図４】
2010269026.tif 000006
【図５】
2010269026.tif 000007
【図６】
2010269026.tif 000008
【図７】
2010269026.tif 000009
【図８】
2010269026.tif 000010